Podtech/llm-jp-corpus-v4-ja_patent huggingface dataset:
【手続補正書】
【提出日】平成22年12月10日(2010.12.10)
【手続補正１】
【補正対象書類名】特許請求の範囲
【補正対象項目名】全文
【補正方法】変更
【補正の内容】
【特許請求の範囲】
【請求項１】
タンパク質分解誘導因子（PIF）の単離された成熟天然受容体であって、その成熟天然受容体のN末端が、以下のアミノ酸配列：
n - DINGGGATLPQPLYQTAAVLTAGFA  （配列番号1）；または
n - DINGGGATLPQKLYLIPNVL  （配列番号13）
を有することを特徴とし、かつ
(a)以下の工程：
(i)マウスの筋細管の膜を、放射性標識したPIFと共に、1％のTriton中でインキュベーションすることによって、可溶化する工程；
(ii)PIFを結合することができるコムギ胚芽凝集素-アガロースカラム上で、PIF-受容体を精製する工程；および
(iii)0.1MのN-アセチルグルコサミンを用いて溶出させた、遊離の受容体を溶出する工程、
を含む方法によって得ることができ、
15％SDS-PAGEおよびSephadex G-50排除クロマトグラフィーを使用して約40,000の分子量を有する、受容体であり、および/または
(b)以下の配列：
TAINDTFLNADSNLSIGK      （配列番号2）
XATVAGVSPAPANVSAAIGA    （配列番号3）
IIPATTAGE              （配列番号4）
TYMSPDYAAATLAG          （配列番号5）
FVPLPT                  （配列番号6）
TELSNYVTAXGTxxG          （配列番号7）
VTTAGSDS                （配列番号8）
DVNGG                    （配列番号9）
LTTWDLIADSGR            （配列番号10）
からなる群から選択される、少なくとも1つ、2つまたは全ての内部アミノ酸配列を更に含む、受容体。
【請求項２】
請求項1に記載の受容体の機能的誘導体であるタンパク質分解誘導因子（PIF）の変異した受容体を製造する方法であって、請求項1に記載の前記受容体へPIF受容体活性を保持する変異を導入する工程を含む、方法。
【請求項３】
請求項1に記載の受容体をコードする核酸。
【請求項４】
配列番号11：
【化１】
2010512159.tif 000001
で示されるヌクレオチド配列、または、
配列番号14：
【化２】
2010512159.tif 000002
で示されるヌクレオチド配列を有する、請求項3に記載の核酸。
【請求項５】
請求項3または4に記載の核酸を含み、DNA複製を誘導するエレメント；細胞のゲノムへの標的化した組み込みを促進するエレメント；選択可能なマーカー；プロモーターの1つまたは複数を含んでいてもよい、ベクター。
【請求項６】
請求項1に記載の受容体の生物学的活性の低減剤を含む、悪液質の治療用医薬であって、前記低減剤が、受容体の生物学的活性を、
(a)受容体の発現を減少させること；
(b)受容体脱感作または受容体分解を増加すること；
(c)PIFと内因性受容体である受容体との間の相互作用を減少させること；
(d)受容体媒介性細胞内シグナル伝達を減少させること；
(e)PIF結合について内因性受容体と競合すること：
(f)受容体に結合し、PIF結合をブロックすること；または
(g)PIFに結合し、受容体との相互作用を防止すること
によって低減させてもよい、医薬。
【請求項７】
請求項1に記載の受容体に特異的に結合することができる抗体。
【請求項８】
(a)受容体媒介性細胞内シグナル伝達をブロックし、および/または、(b)配列番号1から10もしくは13のペプチドのいずれか1つに対して産生させた、および/または、(c)ポリクローナルもしくはモノクローナルであり、および/または、(d)γ-イムノグロブリン（IgG）である、請求項7に記載の抗体。
【請求項９】
抗体断片であってもよく、そしてscFV抗体であってもよい、少なくともその可変ドメインを有する、請求項7または8に記載の抗体の機能的誘導体。
【請求項１０】
ヒト化抗体である、請求項7または8に記載の抗体。
【請求項１１】
前記低減剤が、
(a)請求項7から10のいずれか一項に記載の抗体もしくは機能的誘導体である、または、(b)請求項1もしくは2に記載の可溶性受容体或いはその断片である、または、(c)配列番号1もしくは配列番号13から選択されてもよく、或いは配列番号1もしくは配列番号13を含んでもよい、受容体のN末端断片であって、由来する受容体断片と比較してin vivoでの半減期が増大したペプチド誘導体であってもよい、受容体のN末端断片である、または、(d)内因性受容体のRNA転写物に結合して、受容体発現を減少させる、アンチセンスDNAもしくはRNA分子であって、以下の配列：
5’GGCGAAGCCGGCGGTCAGCACGGCGGCGGTCTGGTACAGGGGCTGGGGCAGGGTGGCGCCGCCGCCGTTGATGTC 3’（配列番号12）
5’CAGCACGTTGGGGATCAGGTACAGCTTCTGGGGCAGGGTGGCGCCGCCGCCGTTGATGTC 3’（配列番号15）
から選択されるアンチセンス分子であってもよい、アンチセンスDNAもしくはRNA分子である、または、(e)siRNA分子もしくはshRNAである
、請求項6に記載の医薬。
【請求項１２】
化合物が悪液質の治療に対して有効性を有するかどうかを試験するために、化合物をスクリーニングする方法であって、
(i)請求項1に記載の受容体を含む細胞または膜を、試験化合物に、予め決められた期間、暴露する工程；
(ii)受容体の活性または発現を検出する工程；および
(iii)化合物で処理した細胞または膜における受容体の活性または発現を、化合物で処理しなかったコントロール細胞または膜において見られる活性または発現に対して比較する工程
を含み、悪液質の治療に対して有効性を有する化合物は、コントロールと比較して、受容体の活性を減少させ、または発現を減少させる、方法。
【請求項１３】
化合物が悪液質を誘導するかどうかを試験するために、化合物をスクリーニングする方法であって、
(i)請求項1に記載の受容体を含む細胞または膜を、試験化合物に、予め決められた期間、暴露する工程；
(ii)受容体の活性または発現を検出する工程；および
(iii)化合物で処理した細胞または膜における受容体の活性または発現を、化合物で処理しなかったコントロール細胞または膜において見られる活性または発現に対して比較する工程
を含み、悪液質を誘導する化合物は、コントロールと比較して、受容体の活性を増加させ、または発現を増加させる、方法。
【請求項１４】
(a)実験動物に存在する細胞を、試験化合物に暴露するin vivo方法であり、および/または、(b)前記細胞中で前記受容体を発現するために、前記細胞が、請求項5に記載のベクターを用いて形質転換されている、および/または、(c)前記細胞または膜中の受容体の発現レベルを、請求項7に記載の抗体である標識した抗体；放射性標識したPIFリガンドもしくは放射性標識した試験化合物を使用して、評価する、請求項12または13に記載の方法。
【手続補正書】
【提出日】平成22年12月10日(2010.12.10)
【手続補正１】
【補正対象書類名】特許請求の範囲
【補正対象項目名】全文
【補正方法】変更
【補正の内容】
【特許請求の範囲】
【請求項１】
非毒性の有効量のアクチニド除染剤およびそのための薬学的に受容可能な担体を含む医薬組成物であって、前記アクチニド除染剤が、アクチニドをインビボでキレートすることができる６配位構造のデスフェリチオシン類縁体を含み
前記アクチニド除染剤が
（Ｓ）−４，５−ジヒドロ−２−（２−ヒドロキシフェニル）−４−チアゾールカルボン酸［デスアザデスメチルデスフェリチオシン、（Ｓ）−ＤＡＤＭＤＦＴ、４］、
（Ｓ）−２−（２，４−ジヒドロキシフェニル）−４，５−ジヒドロ−４−チアゾールカルボン酸［（Ｓ）−４’−（ＨＯ）−ＤＡＤＭＤＦＴ、９］、
（Ｓ）−２−（２−ヒドロキシ−４−メトキシフェニル）−４，５ジヒドロ−４−チアゾールカルボン酸［（Ｓ）−４’−（ＣＨ３Ｏ）−ＤＡＤＭＤＦＴ、１１］、
（Ｓ）−４，５−ジヒドロ−５，５−ジメチル−２−（２−ヒドロキシフェニル）−４−チアゾールカルボン酸［（Ｓ）−５，５−（ＣＨ３）２−ＤＡＤＭＤＦＴ、１７］、
（Ｓ）−４，５−ジヒドロ−２（３，４−ジメトキシ−２−ヒドロキシフェニル）−４−チアゾールカルボン酸［（Ｓ）−３’，４’−（ＣＨ３Ｏ）−ＤＡＤＭＤＦＴ、１９］、および
（Ｓ）−４，５−ジヒドロ−２−（３，４−ジメトキシ−２−ヒドロキシフェニル）−４−メチル−４−チアゾールカルボン酸［（Ｓ）−３’，４’−（ＣＨ３Ｏ）−ＤＡＤＦＴ、２１］
から選択される、前記医薬組成物。
【請求項２】
ヒトまたは非ヒト哺乳動物の組織からアクチニドを除去するために用いる、請求項１に記載のアクチニド除染剤。
【請求項３】
請求項１のアクチニド除染剤を収容する容器および前記剤がヒトおよび非ヒト哺乳動物からのアクチニドの除去のために有用であることを示す添付文書または前記容器上の表示を含む製品。
【手続補正書】
【提出日】平成22年12月13日(2010.12.13)
【手続補正１】
【補正対象書類名】特許請求の範囲
【補正対象項目名】全文
【補正方法】変更
【補正の内容】
【特許請求の範囲】
【請求項１】
農業用組成物であって、
（ａ）式：
（Ｒ１）（Ｒ２）（Ｒ３）Ｓｉ−Ｒ４−Ｓｉ（Ｒ５）（Ｒ６）（Ｒ７）
を有するシランと、
（ｂ）農業用成分とを含有し；
式中、
Ｒ１、Ｒ２、Ｒ３、Ｒ５、およびＲ６は、各々独立して、１から６の一価炭化水素ラジカルと、アリールと、アリール基を有する７から１０の炭素の炭化水素基とからなる群から選択され；
Ｒ４は、１から３の炭素の炭化水素基であり；
Ｒ７は、Ｒ８−ＲＡ、Ｒ９−ＲＣ、およびＲ１０−ＲＺであり；
Ｒ８は、Ｒ１１（Ｏ）ｔ（Ｒ１２）ｕ（Ｏ）ｖ−、
【化１】
2010512394.tif 000001
、およびＲ１４Ｏ（Ｃ２Ｈ４Ｏ）ａ（Ｃ３Ｈ６Ｏ）ｂ（Ｃ４Ｈ８Ｏ）ｃ−からなる群から選択され；
式中、Ｒ１１およびＲ１２は、各々独立して、１から４の炭素原子の二価炭化水素基からなる群から選択され、これの各々は、任意選択で、一つもしくはそれ以上のＯＨラジカルにより置換されてもよく；Ｒ１３は、２から４の炭素原子の二価炭化水素基であり；Ｒ１４は、１から６の炭素の直鎖または分岐の二価炭化水素基である；下付き文字ｔ、ｕ、およびｖは、ゼロまたは１であり；
下付き文字ａ、ｂ、およびｃは、ゼロまたは正であり、そして次の関係：
１≦ａ＋ｂ＋ｃ≦１０、式中、ａ≧１を満たし；
ＲＡは、−ＳＯ３ＭＫ、−Ｃ（＝Ｏ）ＣＨ２ＣＨ（Ｒ１５）ＣＯＯ−ＭＫ；−ＰＯ３ＨＭＫ；−ＣＯＯＭＫからなる群から選択される一価のラジカルであり；
式中、Ｒ１５は、Ｈまたは−ＳＯ３ＭＫであり；
ＭＫは、Ｎａ＋、Ｋ＋、Ｃａ２＋、ＮＨ４＋、Ｌｉ＋、および２から４の炭素のアルキル基を含有するモノアルキルアミン、ジアルキルアミン、およびトリアルキルアミン、または２から４の炭素のアルキル基を含有するモノアルカノールアミン、ジアルカノールアミン、およびトリアルカノールアミンから誘導される一価アンモニウムイオンからなる群から選択される陽イオンであり；
Ｒ９は、Ｒ１６（Ｏ）ｗ（Ｒ１７）ｘ−およびＲ１８Ｏ（Ｃ２Ｈ４Ｏ）ｄ（Ｃ３Ｈ６Ｏ）ｅ（Ｃ４Ｈ８Ｏ）ｆＣＨ２ＣＨ（ＯＨ）ＣＨ２−からなる群から選択される一価のラジカルであり；
式中、Ｒ１６およびＲ１７は、各々独立して、１から４の炭素原子の二価炭化水素基からなる群から選択され；Ｒ１８は、２から４の炭素原子の二価炭化水素基であり；下付き文字ｗおよびｘは、ゼロまたは１である；
下付き文字ｄ、ｅ、およびｆは、ゼロまたは正であり、そして次の関係：
１≦ｄ＋ｅ＋ｆ≦１０、式中、ｄ≧１を満たし；
ＲＣは、Ｎ（Ｒ１９）（Ｒ２０）、
【化２】
2010512394.tif 000002
、
【化３】
2010512394.tif 000003
、および
【化４】
2010512394.tif 000004
から選択され；
式中、Ｒ１９およびＲ２０は、独立して、Ｈ、１から４の炭素の分岐または直鎖の一価炭化水素ラジカル、Ｒ２６Ｎ（Ｒ２９）（Ｒ３０）、および−Ｒ２７Ｏ（Ｃ２Ｈ４Ｏ）ｇ（Ｃ３Ｈ６Ｏ）ｈ（Ｃ４Ｈ８Ｏ）ｉＲ２８からなる群から選択され；
下付き文字ｇ、ｈ、およびｉは、ゼロまたは正であり、そして次の関係：
１≦ｇ＋ｈ＋ｉ≦１０、式中、ｇ≧１を満たし；
Ｒ２１、Ｒ２３、Ｒ２４、Ｒ２５は、各々独立して、Ｈおよび１から４の炭素の分岐または直鎖の一価炭化水素ラジカルからなる群から選択される；
Ｒ２２は、Ｈ、１から４の炭素の分岐または直鎖の一価炭化水素ラジカル、および−Ｒ３１Ｏ（Ｃ２Ｈ４Ｏ）ｊ（Ｃ３Ｈ６Ｏ）ｋ（Ｃ４Ｈ８Ｏ）ｌＲ３２からなる群から選択される一価のラジカルであり；
下付き文字ｊ、ｋ、およびｌは、ゼロまたは正であり、そして次の関係：
１≦ｊ＋ｋ＋ｌ≦１０、式中、ｊ≧１を満たし；
Ｒ２６は、１から６の炭素の二価炭化水素ラジカルまたはＲ３３Ｏ（Ｃ２Ｈ４Ｏ）Ｏｍ（Ｃ３Ｈ６Ｏ）ｎ（Ｃ４Ｈ８Ｏ）ｏＲ３４であり；
下付き文字ｍ、ｎ、およびｏは、ゼロまたは正であり、そして次の関係：
１≦ｍ＋ｎ＋ｏ≦１０、式中、ｍ≧１を満たし；
Ｒ２９およびＲ３０は、独立して、Ｈまたは１から４の炭素の分岐または直鎖の一価炭化水素ラジカルからなる群から選択され；
Ｒ２７、Ｒ３１、およびＲ３３は、２から４の炭素原子の二価炭化水素基からなる群から選択され；
Ｒ２８は、Ｈ、１から６の炭素の一価炭化水素ラジカル、およびＮ（Ｒ４０）（Ｒ４１）からなる群から選択される一価のラジカルであり；
Ｒ３２およびＲ３４は、独立して、Ｈ、１から４の炭素の分岐または直鎖の一価炭化水素ラジカル、およびＲ３７Ｎ（Ｒ３８）（Ｒ３９）からなる群から選択され；
式中、Ｒ３７は、１から６の炭素の二価炭化水素ラジカルであり；
Ｒ３５、Ｒ３６、Ｒ３８、およびＲ３９は、独立して、Ｈおよび１から４の炭素の分岐または直鎖の一価炭化水素ラジカルからなる群から選択され；
Ｒ１０は、Ｒ４０（Ｏ）ｙ（Ｒ４１）ｚ−およびＲ４２Ｏ（Ｃ２Ｈ４Ｏ）ｐ（Ｃ３Ｈ６Ｏ）ｑ（Ｃ４Ｈ８Ｏ）ｒＣＨ２ＣＨ（ＯＨ）ＣＨ２−からなる群から選択される一価のラジカルであり；
式中、Ｒ４０およびＲ４１は、各々独立して、１から４の炭素原子の二価炭化水素基からなる群から選択され；
Ｒ４２は、２から４の炭素原子の二価炭化水素基であり；
下付き文字ｙおよびｚは、ゼロまたは１であり；
下付き文字ｐ、ｑ、およびｒは、ゼロまたは正であり、そして次の関係：
１≦ｐ＋ｑ＋ｒ≦１０、式中、ｐ≧１を満たし；
ＲＺは、−Ｎ−（Ｒ４３）（Ｒ４４）αＲ４５ＳＯ３（ＭＫ）β、−Ｎ−（Ｒ４６）（Ｒ４７）γＲ４８ＣＯＯ（ＭＫ）δ、−Ｎ＋−（Ｒ４９）（Ｒ５０）Ｒ５１ＯＰ（＝Ｏ）（Ａ）（Ｂ）、または（−Ｃ（＝Ｏ）Ｎ（Ｒ５２）Ｒ５３Ｎ−（Ｒ５４）（Ｒ５５））＋−（Ｒ５６ＯＰ（＝Ｏ）（Ａ）（Ｂ））（Ｘ−）εであり；
式中、Ｒ４３、Ｒ４４、Ｒ４６、Ｒ４７、Ｒ４９、Ｒ５０、Ｒ５２、Ｒ５４、およびＲ５５は、独立して、Ｈ、１から４の炭素の分岐または直鎖の一価炭化水素ラジカル、および２から４の炭素のアルキル基を含有するアルカノールアミン基からなる群から選択され；Ｒ４５は、３から４の炭素の二価の基であり；
下付き文字α、β、γ、δ、およびεは、ゼロまたは１であり、下記の関係：
α＋β＝１、および、γ＋δ＝１に従い；
Ｒ４８およびＲ５１は、独立して、１から４の炭素の二価の基であり；
Ｒ５３およびＲ５６は、各々独立して、２から４の炭素の二価の基であり；
ＡおよびＢは、Ｏ−およびＯＭＫから選択され；Ｘは、Ｃｌ、Ｂｒ、およびＩからなる群から選択される陰イオンであり；そして、下付き文字εは、０、１、または２であり、
ここで、前記農業用組成物は高められた耐加水分解性を有する、組成物。
【手続補正書】
【提出日】平成22年12月10日(2010.12.10)
【手続補正１】
【補正対象書類名】特許請求の範囲
【補正対象項目名】全文
【補正方法】変更
【補正の内容】
【特許請求の範囲】
【請求項１】
ヒトＣｅｒｂｅｒｕｓ（配列番号２）のアミノ酸１６２〜２４１の配列に対して少なくとも８０％同一なアミノ酸配列を含むミオスタチンアンタゴニストタンパク質であって、該タンパク質は、少なくとも２４時間の期間にわたって、実質的に血清に対して安定である、タンパク質。
【手続補正書】
【提出日】平成22年12月10日(2010.12.10)
【手続補正１】
【補正対象書類名】特許請求の範囲
【補正対象項目名】全文
【補正方法】変更
【補正の内容】
【特許請求の範囲】
【請求項１】
ＩｇＧ抗体によって媒介される疾患又は状態の治療又は予防に使用するための、ＥｎｄｏＳポリペプチド又はＥｎｄｏＳポリペプチドをコードするポリヌクレオチドを含む薬剤。
【請求項２】
前記ＥｎｄｏＳポリペプチドが、
（ａ）配列番号１のアミノ酸配列、
（ｂ）配列番号１のアミノ酸配列に少なくとも５０％の同一性を有し、ＩｇＧエンドグリコシダーゼ活性を有するそのバリアント、又は
（ｃ）ＩｇＧエンドグリコシダーゼ活性を有するそれらのいずれかの断片
を含む、請求項１に記載の薬剤。
【請求項３】
前記ポリペプチドが配列番号１に示す配列から成る、請求項２に記載の薬剤。
【請求項４】
前記ポリヌクレオチドが、
（ａ）配列番号３のコード配列、
（ｂ）（ａ）で定義された配列に対して遺伝暗号の結果として縮重している配列、
（ｃ）（ａ）若しくは（ｂ）で定義された配列に少なくとも６０％の同一性を有し、ＩｇＧエンドグリコシダーゼ活性を有するポリペプチドをコードする配列、又は
（ｄ）ＩｇＧエンドグリコシダーゼ活性を有するポリペプチドをコードする（ａ）、（ｂ）若しくは（ｃ）で定義される配列のいずれか１つの断片
を含む、請求項１に記載の薬剤。
【請求項５】
前記ポリヌクレオチドが配列番号３に示す核酸配列から成る、請求項４に記載の薬剤。
【請求項６】
疾患又は状態が、自己免疫疾患、移植拒絶反応、術後治療又は後天性血友病である、請求項１から５までのいずれか一項に記載の薬剤。
【請求項７】
前記自己免疫疾患が、アジソン病、円形脱毛症、強直性脊椎炎、抗リン脂質抗体症候群、再生不良性貧血、自己免疫性胃炎、自己免疫性難聴、自己免疫性溶血性貧血、自己免疫性肝炎、自己免疫性副甲状腺機能低下症、自己免疫性下垂体炎、自己免疫性内耳疾患、自己免疫性リンパ球増殖症候群、自己免疫性心筋炎、自己免疫性卵巣炎、自己免疫性精巣炎、自己免疫性多腺性内分泌不全症、ベーチェット病、類天疱瘡、心筋症、慢性炎症性脱髄性多発神経障害、チャーグ・ストラウス症候群、セリアック病、クローン病、ＣＲＥＳＴ症候群、デゴス病、後天性表皮水疱症、本態性混合型クリオグロブリン血症、巨細胞性動脈炎、糸球体腎炎、グッドパスチャー症候群、グレーブス病、ギラン・バレー症候群、橋本甲状腺炎、突発性血小板減少性紫斑病、炎症性腸疾患、川崎病、メニエール症候群、混合性結合組織病、モーレン潰瘍、多発性硬化症、重症筋無力症、落葉状天疱瘡、尋常性天疱瘡、悪性貧血、結節性多発性動脈炎、多腺性自己免疫症候群１型（ＰＡＳ−１）、多腺性自己免疫症候群２型（ＰＡＳ−２）、多腺性自己免疫症候群３型（ＰＡＳ−３）、多発筋炎／皮膚筋炎、原発性胆汁性肝硬変、乾癬、乾癬性関節炎、レイノー病、ライター症候群、関節リウマチ、サルコイドーシス、強皮症、シェーグレン症候群、亜急性甲状腺炎、交感性眼炎、全身性エリテマトーデス、高安動脈炎、１型糖尿病、白班症、フォークト・小柳・原田症候群又はウェゲナー肉芽腫症である、請求項６に記載の薬剤。
【請求項８】
前記自己免疫疾患が関節リウマチである、請求項７に記載の薬剤。
【請求項９】
前記自己免疫疾患が全身性エリテマトーデスである、請求項７に記載の薬剤。
【請求項１０】
前記自己免疫疾患が突発性血小板減少性紫斑病である、請求項７に記載の薬剤。
【請求項１１】
前記移植拒絶反応が同種移植片拒絶又は異種移植片拒絶である、請求項６に記載の薬剤。
【請求項１２】
ＩｇＧ抗体によって媒介される疾患又は状態を罹患している患者から採取した血液を原材料として使用して、血液製剤をｅｘ  ｖｉｖｏで製造する方法であって、血液をＥｎｄｏＳポリペプチドと接触させるステップを含む方法。
【請求項１３】
前記血液製剤が前記患者に投与するためのものである、請求項１２に記載の方法。
【手続補正書】
【提出日】平成22年12月1日(2010.12.1)
【手続補正１】
【補正対象書類名】特許請求の範囲
【補正対象項目名】全文
【補正方法】変更
【補正の内容】
【特許請求の範囲】
【請求項１】
独立して、２つの末端のフルオロアルキル基又はペルフルオロアルキル基、及び中心炭素原子を介してアルコキシ置換又はフルオロアルコキシ置換フルオロメチレン部分（−ＣＦ（ＯＲ）−）に結合した介在オキシテトラフルオロエチリデン部分（−ＯＣＦ（ＣＦ３）−）を含み、前記末端基のそれぞれが所望により少なくとも１つの鎖中で連結されたヘテロ原子を含む、ハイドロフルオロエーテル化合物。
【請求項２】
（ａ）少なくとも１つのフルオロケミカル酸フッ化物と、少なくとも１つのフルオロ−又はペルフルオロビニルエーテルとを反応させることによって、独立して、２つの末端のフルオロアルキル基又はペルフルオロアルキル基、及び中心炭素原子を介してカルボニル基に結合した介在オキシテトラフルオロエチリデン部分（−ＯＣＦ（ＣＦ３）−）を含む、少なくとも１つのフルオロケミカルケトンを形成する工程であって、前記末端基のそれぞれは所望により、少なくとも１つの鎖中で連結されたヘテロ原子を含む、工程と、（ｂ）前記フルオロケミカルケトン化合物と、少なくとも１つのフルオライド供給源とを反応させることにより、少なくとも１つのフルオロケミカルアルコキシドを形成する工程と、（ｃ）該フルオロケミカルアルコキシドと、少なくとも１つのアルキル化剤とを反応させることにより、少なくとも１つのハイドロフルオロエーテル化合物を形成する工程とを含む、請求項１に記載のハイドロフルオロエーテル化合物の調製方法。
【請求項３】
物品から汚染物を除去する方法であって、前記物品と、請求項１に記載のハイドロフルオロエーテル化合物の少なくとも１つを含む組成物とを接触させる工程を含む、方法。
【請求項４】
少なくとも１つの発泡性ポリマー又は少なくとも１つの発泡性ポリマーの前駆体の存在下で、発泡剤混合物を蒸発させる工程を含む発泡プラスチックの調製方法であって、前記発泡剤混合物が、請求項１に記載のハイドロフルオロエーテル化合物の少なくとも１つを含む、調製方法。
【請求項５】
請求項１に記載のハイドロフルオロエーテル化合物の少なくとも１つを含むフルオロケミカル液体蒸気体の中に半田を含む少なくとも１つの構成成分を浸漬して前記半田を融解させる工程を含む、気相半田付け方法。
【請求項６】
請求項１に記載のハイドロフルオロエーテル化合物の少なくとも１つを含む熱伝達剤の使用を介して、熱源とヒートシンクとの間で熱を伝達させる工程を含む、熱伝達方法。
【請求項７】
基材の少なくとも１つの表面の少なくとも一部に、（ａ）請求項１に記載の少なくとも１つのハイドロフルオロエーテル化合物を含む溶媒組成物と、（ｂ）該溶媒組成物中に可溶性又は分散性である少なくとも１つのコーティング材料とを含む組成物を適用する工程を含む、前記基材上にコーティングを付着させる方法。
【請求項８】
金属、サーメット、又は複合材の加工部品及び工具に加工流体を適用する工程を含む切削又は研磨加工の方法であって、前記加工流体が、請求項１に記載のハイドロフルオロエーテル化合物の少なくとも１つ及び少なくとも１つの潤滑性添加剤を含む、方法。
【請求項９】
少なくとも１つの重合開始剤及び請求項１に記載のハイドロフルオロエーテル化合物の少なくとも１つの存在下で、少なくとも１つのモノマーを重合させる工程を含む、重合方法。
【請求項１０】
独立して、２つの末端のフルオロアルキル基又はペルフルオロアルキル基及び中心炭素原子を介してカルボニル基に結合する介在オキシテトラフルオロエチリデン部分（−ＯＣＦ（ＣＦ３）−）を含み、前記末端基の少なくとも１つが、少なくとも１つの鎖中で連結された窒素原子を含む、フルオロケミカルケトン化合物。
【手続補正書】
【提出日】平成22年12月3日(2010.12.3)
【手続補正１】
【補正対象書類名】特許請求の範囲
【補正対象項目名】全文
【補正方法】変更
【補正の内容】
【特許請求の範囲】
【請求項１】
次式
【化１】
2010512339.tif 000001
で示される化合物またはその薬理学的に許容できる塩。
【請求項２】
次式
【化２】
2010512339.tif 000002
で示される化合物またはその薬理学的に許容できる塩を、薬理学的に許容できる担体、希釈剤または賦形剤と組み合わせて含有してなる医薬製剤。
【請求項３】
医薬として使用するための請求項１に記載の化合物。
【請求項４】
パーキンソン病を治療するための医薬の製造のための、請求項１に記載の化合物の使用。
【請求項５】
うつ病を治療するための医薬の製造のための、請求項１に記載の化合物の使用。
【請求項６】
統合失調症を治療するための医薬の製造のための、請求項１に記載の化合物の使用。
【請求項７】
かかる治療を必要とする哺乳動物に有効量の請求項１に記載の化合物を投与することを含んでなる、哺乳動物におけるグルタミン酸受容体の機能を増強する方法。
【手続補正書】
【提出日】平成22年12月2日(2010.12.2)
【手続補正１】
【補正対象書類名】特許請求の範囲
【補正対象項目名】全文
【補正方法】変更
【補正の内容】
【特許請求の範囲】
【請求項１】
ヒト被験者における中程度の、重篤な、または非常に重篤な全身性エリテマトーデス(SLE)を治療するための治療用組成物であって、抗IFNαモノクローナル抗体を含む前記治療用組成物。
【請求項２】
中程度の、重篤な、または非常に重篤なSLEと診断されたヒト被験者を治療するための治療用組成物であって、抗IFNαモノクローナル抗体を含む前記治療用組成物。
【請求項３】
ヒト被験者におけるSLEを治療するための治療用組成物であって、該ヒト被験者に投与される抗IFNαモノクローナル抗体を含み、該ヒト被験者が、主に中程度の、重篤な、または非常に重篤なSLEを有するヒト被験者から構成される示された集団のメンバーである、前記治療用組成物。
【請求項４】
主に中程度の、重篤な、または非常に重篤なSLEを有するヒト被験者から構成されるヒト集団におけるSLEを治療するための治療用組成物であって、抗IFNαモノクローナル抗体を含む前記治療用組成物。
【請求項５】
ヒト被験者におけるSLEを治療するための治療用組成物であって、該ヒト被験者がX(ここで、Xは6〜105である)の治療前SLEDAIスコアを有し、該治療用組成物が抗インターフェロンαモノクローナル抗体を含み、該ヒト被験者に投与するとX−1〜105の治療後SLEDAIスコアをもたらし、X−1〜105がもたらし得る最も低いSLEDAI値が0である、前記治療用組成物。
【請求項６】
ヒト被験者におけるSLEを治療するための治療用組成物であって、抗IFNαモノクローナル抗体を含み、該ヒト被験者が、主に中程度の、重篤な、または非常に重篤なSLEを示す第1の治療前SLEDAIスコアを有するヒト被験者から構成される集団のメンバーであり、該SLEDAIスコアが治療後に改善する、前記治療用組成物。
【請求項７】
中程度の、重篤な、または非常に重篤なSLEを有するヒト被験者におけるSLEDAIフレアを減少させるための治療用組成物であって、抗IFNαモノクローナル抗体を含む前記治療用組成物。
【請求項８】
前記治療前SLEDAIスコアが少なくとも5である、請求項５〜７のいずれか１項に記載の治療用組成物。
【請求項９】
前記治療後SLEDAIスコアが治療前SLEDAIスコア−少なくとも1と等しく、達成可能な最も低い治療後SLEDAIスコアが0である、請求項５〜７のいずれか１項に記載の治療用組成物。
【請求項１０】
SLEDAIスコアにおける前記減少が、抗体投与の少なくとも14日後、少なくとも28日後、または少なくとも56日後に明らかである、請求項５〜７のいずれか１項に記載の治療用組成物。
【請求項１１】
前記抗インターフェロンαモノクローナル抗体が、0.5 mg/kg、1.0 mg/kg、2.0 mg/kg、3.0 mg/kg、4.0 mg/kg、5.0 mg/kg、6.0 mg/kg、7.0 mg/kg、8.0 mg/kg、9.0 mg/kg、10.0 mg/kg、11.0 mg/kg、12.0 mg/kg、13.0 mg/kg、14.0 mg/kg、15.0 mg/kg、16.0 mg/kg、17.0 mg/kg、18.0 mg/kg、19.0 mg/kg、20.0 mg/kg、25 mg/kg、および30 mg/kgからなる群より選択される用量で投与される、請求項１〜７のいずれか１項に記載の治療用組成物。
【請求項１２】
前記抗インターフェロンαモノクローナル抗体が、少なくともインターフェロンαサブタイプα2aおよび／またはα2bに選択的に結合する、請求項１〜７のいずれか１項に記載の治療用組成物。
【請求項１３】
前記抗インターフェロンαモノクローナル抗体が、少なくともインターフェロンαサブタイプα1、α2、α4、α5、α8、α10、およびα21に選択的に結合する、請求項１〜７のいずれか１項に記載の治療用組成物。
【請求項１４】
前記抗インターフェロンαモノクローナル抗体がMEDI-545ではない、請求項１〜７のいずれか１項に記載の治療用組成物。
【請求項１５】
治療計画の一部として少なくとも1種のさらなる治療剤をさらに含む、請求項１〜１４のいずれか１項に記載の治療用組成物。
【請求項１６】
前記さらなる治療剤が、コルチコステロイド、NSAIDS、抗マラリア剤、免疫調節剤、および抗凝血剤からなる群より選択される、請求項１５に記載の治療用組成物。
【請求項１７】
前記コルチコステロイドが、プレドニゾン、プレドニゾロン、メチルプレドニゾロン、ベタメタゾン、デキサメタゾン、トリアムシノロンおよびヒドロコルチゾンからなる群より選択される、請求項１６に記載の治療用組成物。
【請求項１８】
前記コルチコステロイドがプレドニゾンである、請求項１７に記載の治療用組成物。
【請求項１９】
非経口投与される、請求項１〜７のいずれか１項に記載の治療用組成物。
【請求項２０】
静脈内投与される、請求項１９に記載の治療用組成物。
【請求項２１】
皮下投与される、請求項１９に記載の治療用組成物。
【手続補正書】
【提出日】平成22年11月22日(2010.11.22)
【手続補正１】
【補正対象書類名】特許請求の範囲
【補正対象項目名】全文
【補正方法】変更
【補正の内容】
【特許請求の範囲】
【請求項１】
IFNαに結合し、その活性を調節する治療剤を受ける候補者として患者を同定する方法であって、
該患者に由来するサンプル中でIFNα誘導性PDマーカー発現プロフィールの存在又は非存在を検出することを含み、該IFNα誘導性PDマーカー発現プロフィールは、IFI44、IFI6、SAMD9L、GBP1、OAS1、BIRC4BP、SRGAP2及びRSAD2の上方調節された発現又は活性を含むものであり、
該IFNα誘導性PDマーカー発現プロフィールの存在の検出が、IFNαに結合し、その活性を調節する治療剤を受ける候補者として該患者を同定する、前記方法。
【請求項２】
前記患者が狼瘡、特発性炎症性筋炎、シェーグレン症候群、血管炎、サルコイドーシス、乾癬、皮膚筋炎、多発性筋炎、封入体筋炎及び慢性関節リウマチから選択される障害を有すると診断されている、請求項１に記載の方法。
【請求項３】
前記障害が狼瘡である、請求項２に記載の方法。
【請求項４】
前記治療剤が小分子又は生物学的薬剤である、請求項１に記載の方法。
【請求項５】
前記生物学的薬剤が抗体である、請求項４に記載の方法。
【請求項６】
前記抗体がMEDI-545である、請求項５に記載の方法。
【請求項７】
前記上方調節された発現又は活性が、1種以上の前記遺伝子の発現の少なくとも2倍の増加を含む、請求項１に記載の方法。
【請求項８】
前記上方調節された発現又は活性が、1種以上の前記遺伝子の発現の少なくとも3倍の増加を含む、請求項１に記載の方法。
【請求項９】
前記上方調節された発現又は活性が、1種以上の前記遺伝子のmRNAレベルの増加を含む、請求項１に記載の方法。
【請求項１０】
前記上方調節された発現又は活性が、1種以上の前記遺伝子のタンパク質レベルの増加を含む、請求項１に記載の方法。
【請求項１１】
前記上方調節された発現又は活性が、1種以上の前記遺伝子から発現されたタンパク質の酵素活性の増加を含む、請求項１に記載の方法。
【請求項１２】
前記サンプルが全血である、請求項１に記載の方法。
【請求項１３】
増加したIFNαレベルに関連する障害を有すると患者を診断する方法であって、
該患者に由来するサンプル中でIFNα誘導性PDマーカー発現プロフィールの存在又は非存在を検出することを含み、該IFNα誘導性PDマーカー発現プロフィールは、IFI44、IFI6、SAMD9L、GBP1、OAS1、BIRC4BP、SRGAP2及びRSAD2の上方調節された発現又は活性を含むものであり、
該IFNα誘導性PDマーカー発現プロフィールの存在の検出がIFNαレベルの増加に関連する障害を有すると該患者を同定する、前記方法。
【請求項１４】
前記障害が狼瘡、特発性炎症性筋炎、シェーグレン症候群、血管炎、サルコイドーシス、乾癬、皮膚筋炎、多発性筋炎、封入体筋炎及び慢性関節リウマチから選択される、請求項１３に記載の方法。
【請求項１５】
前記障害が狼瘡である、請求項１４に記載の方法。
【請求項１６】
IFNαにより媒介される障害を治療するための候補治療剤を同定する方法であって、
IFNα誘導性PDマーカー発現プロフィールを含む細胞を薬剤と接触させること、及び、
該細胞の該IFNα誘導性PDマーカー発現プロフィールの変化の存在又は非存在を検出することを含み、
該IFNα誘導性PDマーカー発現プロフィールは、IFI44、IFI6、SAMD9L、GBP1、OAS1、BIRC4BP、SRGAP2及びRSAD2の上方調節された発現又は活性を含むものであり、
該IFNα誘導性PDマーカー発現プロフィールの遺伝子の上方調節の低下を含む変化の存在が、該薬剤が候補治療剤であることを示す、前記方法。
【請求項１７】
前記細胞を、IFNαレベルの増加に関連する障害を有する患者から取得する、請求項１６に記載の方法。
【請求項１８】
前記細胞が、前記IFNα誘導性PDマーカー発現プロフィールを誘導するようにIFNαで処理された細胞である、請求項１６に記載の方法。
【請求項１９】
請求項１に記載の遺伝子のいずれか1つの発現を特異的に検出するポリヌクレオチドを含むプローブセット。
【請求項２０】
請求項１９に記載のプローブセットのいずれかを含むキット。
【手続補正書】
【提出日】平成22年11月18日(2010.11.18)
【手続補正１】
【補正対象書類名】特許請求の範囲
【補正対象項目名】全文
【補正方法】変更
【補正の内容】
【特許請求の範囲】
【請求項１】
式１
【化１】
2010512316.tif 000001
［式中、
Ｒ１はＮＨＲ３またはＯＲ４であり；
Ｒ２はＣｌまたはＣＨ３であり；
Ｒ３はＨ、Ｃ１〜Ｃ４アルキル、シクロプロピル、シクロプロピルメチルまたはメチルシクロプロピルであり；および
Ｒ４はＨまたはＣ１〜Ｃ４アルキルである］
の化合物を製造する方法であって、
（１）式２
【化２】
2010512316.tif 000002
［式中、ＸはＢｒまたはＣｌである］
の化合物を、
（２）式３
Ｍ１ＣＮ        ３
［式中、Ｍ１はアルカリ金属である］
の少なくとも１つの化合物と、
（３）エーテルおよびニトリルから選択される１つまたはそれ以上の有機溶媒を含む溶媒；および（４）式４
Ｐ（Ｒ５）（Ｒ６）Ｒ７      ４
［式中、
Ｒ５は、Ｃ３〜Ｃ１０第２級アルキル、Ｃ４〜Ｃ１０第３級アルキル、ネオペンチル、Ｃ３〜Ｃ８シクロアルキル、フェニルまたは−Ｌ−Ｐ（Ｒ６）Ｒ７であり；
Ｒ６およびＲ７の各々は、独立してｔ−ブチル、１−アダマンチルまたはフェニルであり；および
Ｌは、−（ＣＨ２）３−、−（ＣＨ２）４−または１，１’−フェロセンジイルであるか；または式４のホスフィンリガンドはベンジル−ジ−１−アダマンチルホスフィンである］
の少なくとも１つの第３級ホスフィンリガンドを含む触媒的に有効な量のパラジウム錯体、の存在下に接触させることを含み、
ただし、Ｒ２がＣｌである場合ＸはＢｒであり；およびＸがＣｌである場合、Ｒ５、Ｒ６およびＲ７は各々ｔ−ブチルである方法。
【請求項２】
パラジウムが、ベンジル−ジ−１−アダマンチルホスフィン、１，１’−ビス（ジフェニルホスフィノ）フェロセン、ジ−ｔ−ブチルネオペンチルホスフィンおよびトリ−ｔ−ブチルホスフィンからなる群から選択される少なくとも１つのリガンドと錯体を形成する、請求項１に記載の方法。
【請求項３】
パラジウムが、トリ−ｔ−ブチルホスフィンと錯体を形成する、請求項２に記載の方法。
【請求項４】
溶媒が、テトラヒドロフラン、ジオキサンおよびアセトニトリルからなる群から選択される１つまたはそれ以上の有機溶媒を含む、請求項１に記載の方法。
【請求項５】
式２の化合物、式３の少なくとも１つの化合物、パラジウム触媒および溶媒を、亜鉛金属の存在下に接触させる、請求項１に記載の方法。
【請求項６】
Ｒ１がＮＨＲ３であり、Ｒ２がメチルであり、およびＲ３がＣ１〜Ｃ４アルキルまたはシクロプロピルメチルである、請求項１に記載の方法。
【請求項７】
Ｒ３がメチルである、請求項６に記載の方法。
【請求項８】
Ｍ１がＮａまたはＫである、請求項１に記載の方法。
【請求項９】
エーテルを含む溶媒中のパラジウム錯体の溶液を、式２の化合物、式３の少なくとも１つの化合物およびニトリル溶媒を含む混合物と接触させる、請求項１に記載の方法。
【請求項１０】
式５
【化３】
2010512316.tif 000003
［式中、
Ｒ２はＣｌまたはＣＨ３であり；
Ｒ３は、Ｈ、Ｃ１〜Ｃ４アルキル、シクロプロピル、シクロプロピルメチル、またはメチルシクロプロピルであり；
Ｚは、ＣＲ１７またはＮであり；
Ｒ１４は、Ｃｌ、Ｂｒ、ＣＦ３、ＯＣＦ２ＨまたはＯＣＨ２ＣＦ３であり；
Ｒ１５は、Ｆ、ＣｌまたはＢｒであり；
Ｒ１６は、Ｈ、ＦまたはＣｌであり；および
Ｒ１７は、Ｈ、Ｆ、ＣｌまたはＢｒである］
の化合物を
式１
【化４】
2010512316.tif 000004
［式中、
Ｒ１はＮＨＲ３またはＯＲ４であり；および
Ｒ４はＨまたはＣ１〜Ｃ４アルキルである］
の化合物を用いて製造する方法であって、
式１の前記化合物を請求項１に記載の方法により製造することを特徴とする方法。
【請求項１１】
Ｒ１がＮＨＲ３であり、Ｒ２がメチルであり、Ｒ３がメチルであり、Ｒ１４がＢｒであり、Ｒ１５がＣｌであり、Ｒ１６がＨであり、およびＺがＮである、請求項１０に記載の方法。
【手続補正書】
【提出日】平成22年12月13日(2010.12.13)
【手続補正１】
【補正対象書類名】特許請求の範囲
【補正対象項目名】全文
【補正方法】変更
【補正の内容】
【特許請求の範囲】
【請求項１】
非経口投与の為の医薬組成物であって、該組成物が非荷電のベシクル形成性脂質を含む長時間循環するコロイド状キャリアを含み、該コロイド状キャリアが該キャリア内部に捕捉された１以上のポリフェノール又はポリフェノール誘導体を含む上記組成物。
【請求項２】
該コロイド状キャリアが、生理学的条件下で中性又は負の電荷を有する、請求項１の医薬組成物。
【請求項３】
該コロイド状キャリアが、リポソーム、ナノカプセル又はポリマーミセルである、請求項１又は２の医薬組成物。
【請求項４】
該コロイド状キャリアが、４０〜２００ｎｍのサイズ範囲の選ばれた平均粒子直径を有するものである、請求項１〜３のいずれか１項の医薬組成物。
【請求項５】
水溶性ポリマーにより誘導体化された最大で２０モル％の両親媒性ベシクル形成性脂質を含む、請求項１〜４のいずれか１項の医薬組成物。
【請求項６】
最大で１０モル％の負に荷電したベシクル形成性脂質を含む、請求項１〜５のいずれか１項の医薬組成物。
【請求項７】
最大で５０モル％のステロールを含む、請求項１〜６のいずれか１項の医薬組成物。
【請求項８】
ヒドロキシ桂皮酸；フラボン；フラバノン；フラボノール；カテキン及びエピカテキン；レスベラトロール；ヒドロキシチロソール；及びそれらの誘導体からなる群から選ばれるポリフェノールを含む、請求項１〜７のいずれか１項の医薬組成物。
【請求項９】
炎症又は自己免疫疾患及びがんの処置の為の、請求項１〜８のいずれか１項に記載の医薬組成物。
【請求項１０】
炎症又は自己免疫疾患及びがんの処置において有効な医薬組成物であって、請求項１〜８のいずれか１項に記載の医薬組成物を含む医薬組成物。
【請求項１１】
該ポリフェノールが水溶性型で該医薬中に用いられる、炎症した組織又は領域の非経口投与による部位特異的処置の為の、請求項９に記載の医薬組成物。
【請求項１２】
リウマチ関節炎又は多発性硬化症の処置における、請求項９〜１１のいずれか１項に記載の医薬組成物。
【請求項１３】
脱プロトン化可能なヒドロキシル基を有するポリフェノール又はポリフェノール誘導体を長時間循環するコロイド状キャリア中に装填する方法であって、（ａ）長時間循環するコロイド状キャリアの懸濁物を調製すること、該コロイド状キャリアは該コロイド状キャリアの外側よりも該コロイド状キャリアの内側により高い金属イオン濃度を有し、該金属イオンは、負に荷電したポリフェノール又はポリフェノール誘導体と比較的高いｐＨで複合体又は沈殿を形成することができる、（ｂ）ポリフェノール又はポリフェノール誘導体化合物を該懸濁物に添加すること、及び（ｃ）該コロイド状キャリアの外側における濃度よりも高いコロイド状キャリアの内側における化合物の最終濃度への、該コロイド状キャリアへの該化合物の取り込みを達成すること、を含む上記方法。
【手続補正書】
【提出日】平成23年3月2日(2011.3.2)
【手続補正１】
【補正対象書類名】特許請求の範囲
【補正対象項目名】全文
【補正方法】変更
【補正の内容】
【特許請求の範囲】
【請求項１】
４〜７％のAzadirachta indicaの樹皮の水性抽出物；
０．５〜４％のBerberis aristata、Berberis vulgarisの根、Glycyrrhiza glabraの茎、Jasminum officinale、Picrorhiza kurroaの根茎、Pongamia pinnataの種子または葉、Rubia cordifoliaの茎、Saussurea lappaの根茎、Terminalia chebulaの果実、Capsicumの果実、Stellata wildの花、６〜９％のCurcuma longaの根、Trichosanthes diociaの果実および葉、およびそれらの組み合わせ；を含む群から選択されるハーブの抽出物および
粘稠化剤、保存剤、着色剤、脱色剤、香料、乳白剤、ビタミンおよびそれらの組み合わせからなる群から選ばれる一つまたはそれ以上の佐剤を含む等しい割合の一つまたはそれ以上の油
を含む、局所用創傷治療製剤。
【請求項２】
前記ハーブの抽出物が、油またはアルコールの抽出物である、請求項１に記載の局所用創傷治療製剤。
【請求項３】
前記油が、ひまし油、からし油、やし油およびごま油の少なくともいずれかである、請求項１または２に記載の局所用創傷治療製剤。
【請求項４】
前記製剤が、さらにSymplocos racemosaおよび／またはIchnocarpus fruitescensを含む、請求項１に記載の局所用創傷治療製剤。
【請求項５】
前記保存剤が、硫酸銅を含む、請求項１に記載の局所用創傷治療製剤。
【請求項６】
前記粘稠化剤が、みつろうを含む、請求項１に記載の局所用創傷治療製剤。
【請求項７】
前記脱色剤が、活性炭を含む、請求項１に記載の局所用創傷治療製剤。
【請求項８】
前記保存剤が、０．２５％の重量比で存在し、前記粘稠化剤が、１〜７％の重量比で存在する、請求項１に記載の局所用創傷治療製剤。
【請求項９】
切断を防止する、請求項１に記載の局所用創傷治療製剤。
【請求項１０】
水とAzadirachta indicaの乾燥樹皮を水１６部対樹皮１部の割合で取り、これを沸騰させて元の濃度の１／４に水を減少させ、そしてろ過することにより水性抽出物を調製する工程；
４種の油、即ち、ひまし油、からし油、やし油および黒ごま油を互いに等しい割合で混合し、そしてハーブ、Berberis aristata、Curcuma longa、Glycyrrhiza globra、Jasminum officinale、Picrorhiza kurroa、Pongamia pinnnata、Rubia cordifolia、Saussurea lappa、Terminalia chebula、Trichosanthes diocia、CapsicumおよびStella wildの適当な量の乾燥粉末化部分／アルコール抽出物を油混合物に加えることにより油とハーブとの混合物を調製する工程；
Azadirachta indicaの水性抽出物を４：１の割合で油ハーブ混合物に加え、そして水が完全に蒸発するまで沸騰させ、次いで粘稠化剤、保存剤、脱色剤、着色剤、香料、乳白剤およびビタミン等の佐剤成分を添加することにより製剤を調製する工程
を含む、請求項１に記載の局所用創傷治療製剤を調製するための方法。
【手続補正書】
【提出日】平成22年12月9日(2010.12.9)
【手続補正１】
【補正対象書類名】特許請求の範囲
【補正対象項目名】全文
【補正方法】変更
【補正の内容】
【特許請求の範囲】
【請求項１】
パーソナルケア製品組成物であって、
ａ）式Ｉ
【化１】
2010512348.tif 000001
式中、
Ｒ１は、メチルおよびＣ１−Ｒ２、Ｃ３、Ｃ４およびＣ６アルカンから選択され、
Ｒ２は、２−エチルヘキシルオキシであり、
ｎは、０および１から選択され、
ｎが１のとき、Ｒ１はＣ１（メチル）である、
で表される、少なくとも１つのジオール化合物を含み、
ここで、該ジオール化合物は、１，２−ペンタンジオール、１，２−ヘキサンジオール、１，２−オクタンジオール、２−メチル−１，３−プロパンジオールおよび３−（２−エチルヘキシルオキシ）−１，２−プロパンジオールからなる群から選択され、
ここで、前記式Ｉの少なくとも１つの化合物が、全濃度の０．１％から２％（ｗ／ｗ）存在し、および、
ｂ）式ＩＩ
【化２】
2010512348.tif 000002
式中、
Ｒ１およびＲ２は、水素、メチル、ヒドロキシ、メトキシから選択されるか、または、Ｒ１とＲ２が共に３，４−メチレンジオキシ置換基を形成し、
Ｒ１が水素の場合、Ｒ２は水素、メチル、ヒドロキシおよびメトキシから選択され、
Ｒ２がヒドロキシの場合、Ｒ１は水素、ヒドロキシおよびメトキシから選択される、
で表される、少なくとも１つの化合物を含み、
ここで、該化合物は、ベンズアルデヒド、４−メチルベンズアルデヒド、ヘリオトロピン、バニリン、４−ヒドロキシベンズアルデヒド、３−ヒドロキシベンズアルデヒド、４−メトキシベンズアルデヒド、３−メトキシベンズアルデヒド、２，４−ジヒドロキシベンズアルデヒド、３−ヒドロキシ−４−メトキシベンズアルデヒド、３，５−ジヒドロキシベンズアルデヒドおよび４−ヒドロキシ−２−メトキシベンズアルデヒドからなる群から選択され、
ここで、前記式ＩＩの少なくとも１つの化合物が、全濃度の０．０５％から０．５％（ｗ／ｗ）存在し、
ｃ）フェノキシエタノール、２−フェニルエタノールおよびベンジルアルコールからなる群から選択され、全濃度の０．０５％から０．３％（ｗ／ｗ）存在する、少なくとも１つの化合物を任意に含み、
および、化粧品用に許容できる基材を含み、
ただし、前記組成物は、
細菌ホルムアルデヒド；ジアゾリジニル尿素、イミダゾリジニル尿素およびＤＭＤＭヒダントインを含むホルムアルデヒド供与体化合物；
メチルパラベン、エチルパラベン、プロピルパラベン、イソプロピルパラベン、ブチルパラベン、イソブチルパラベンおよびベンジルパラベンからなる群から選択されるパラベン、
２，４−ジクロロベンジルアルコール、４−クロロ−３，５−ジメチルフェノール、２−ブロモ−２−ニトロプロパン−１，３−ジオールおよびヨードプロピニルブチルカルバメートを含むハロゲン化化合物、
および
クオタニウム−１５（ＣＡＳ  ５１２２９−７８−８）、メチル−クロロイソチアゾリノンおよびメチル−イソチアゾリノンから選択される殺真菌剤、
から選択される化合物を殺細菌、殺真菌、殺胞子の有効濃度または保存濃度で含まない、前記パーソナルケア製品組成物。
【手続補正書】
【提出日】平成22年11月15日(2010.11.15)
【手続補正１】
【補正対象書類名】特許請求の範囲
【補正対象項目名】全文
【補正方法】変更
【補正の内容】
【特許請求の範囲】
【請求項１】
以下の式：
Ｙ−Ｘ−Ｎ（Ｗ）（ＺＰＯ3Ｍ2）
を有する反応性ホスホナート化合物。
式中、Ｙは、Ｃｌ、Ｉ、Ｂｒ、ＨＳＯ4、ＮＯ3、ＣＨ3ＳＯ3およびｐ−トルエンスルホナートならびにこれらの混合物からなる群から選択される、４.０と等しいかまたは４.０より小さいｐＫａを有する共役酸である置換基であり、
Ｘは、場合によりＣ1−Ｃ12の直鎖、分枝鎖、環状または芳香族基によって置換されるＣ3−Ｃ50の直鎖、分枝鎖、環状または芳香族の炭化水素鎖（該鎖および／または該基は、場合によりＯＨ、ＣＯＯＨ、Ｆ、ＯＲ’、およびＳＲ’（ここで、Ｒ’は、Ｃ1−Ｃ12の直鎖、分枝鎖、環状または芳香族の炭化水素鎖である）部分によって置換されてもよい）；および［Ａ−Ｏ］x−Ａ（ここで、Ａは、Ｃ2−Ｃ9の直鎖、分枝鎖、環状または芳香族の炭化水素鎖であり、ｘは、１〜２００の整数である）から選択され；
ただし、ＸがＯＨによって置換される場合、このような部分は、Ｙから出発して第２の炭素原子以外の任意の炭素原子に結合することができ；
Ｚは、Ｃ1−Ｃ6のアルキレン鎖であり；
Ｍは、ＨおよびＣ1−Ｃ20の直鎖、分枝鎖、環状または芳香族の炭化水素鎖から選択され；
Ｗは、Ｈ、ＺＰＯ3Ｍ2および［Ｖ−Ｎ（Ｋ）］nＫから選択され、ここで、Ｖは、場合によりＣ1−Ｃ12の直鎖、分枝鎖、環状または芳香族基によって置換されるＣ2−Ｃ50の直鎖、分枝鎖、環状または芳香族の炭化水素鎖（該鎖および／または該基は、場合によりＯＨ、ＣＯＯＨ、Ｆ、ＯＲ’、またはＳＲ’（ここで、Ｒ’は、Ｃ1−Ｃ12の直鎖、分枝鎖、環状または芳香族の炭化水素鎖である）部分によって置換される）；および［Ａ−Ｏ］x−Ａ（ここで、Ａは、Ｃ2−Ｃ9の直鎖、分枝鎖、環状または芳香族の炭化水素鎖であり、ｘは、１〜２００の整数である）から選択され；
Ｋは、ＺＰＯ3Ｍ2またはＨであり、ｎは、０〜２００の整数であり；
ここで、以下の化合物：
クロロプロピルイミノモノ（メチレンホスホン酸）
は除外される。
【請求項２】
ｐＫａが１.０と等しいかまたは１.０より小さい、請求項１に記載のホスホナート化合物。
【請求項３】
個々の部分が以下：
ＸはＣ3−Ｃ30または［Ａ−Ｏ］x−Ａ；
ＶはＣ2−Ｃ30または［Ａ−Ｏ］x−Ａ
（両方についてＸおよびＶは独立して、ＡはＣ2−Ｃ6およびｘは１−１００）；
ＺはＣ1−Ｃ3；
ＭはＨまたはＣ1−Ｃ6；および
ｎは１−１００、
のように選択される、請求項１または２に記載のホスホナート化合物。
【請求項４】
ＸはＣ3−Ｃ30または［Ａ−Ｏ］x−Ａであり、（Ｗ）はＺＰＯ3Ｍ2である、請求項１〜３のいずれか１項に記載のホスホナート化合物。
【請求項５】
個々の部分が以下：
ＸはＣ3−Ｃ12または［Ａ−Ｏ］x−Ａ；
ＶはＣ2−Ｃ12または［Ａ−Ｏ］x−Ａ
（両方についてＸおよびＶは独立して、ＡはＣ2−Ｃ4およびｘは１−１００）；
ＺはＣ1；
ＭはＨまたはＣ1−Ｃ4；および
ｎは１−２５、
のように選択される、請求項１〜４のいずれか１項に記載のホスホナート化合物。
【請求項６】
Ｙがハロゲンを意味する場合には、前記任意のＯＨ置換基が、Ｙから出発してＸ基の第２以外の、第３または第４の炭素原子の任意の炭素原子に連結される、請求項１〜５のいずれか１項に記載のホスホナート化合物。
【請求項７】
式：ハロゲン−Ｘ−ＮＨ2のアミン（ここでハロゲンは、Ｃｌ、ＢｒまたはＩを意味し、そしてＸは請求項１〜６に定義されるとおりの意味を有する）を、６と等しいかまたは６より小さいｐＨを有する水性媒体中で、亜リン酸およびホルムアルデヒドと５０℃〜１４０℃の範囲の温度にて反応させることによる、請求項１〜６のいずれか１項に記載のホスホナート化合物の製造方法。
【請求項８】
式：ＨＯ−Ｘ−Ｎ（ＺＰＯ3Ｍ2）2の化合物（ここで、Ｘ、ＺおよびＭは請求項１〜６
に定義されるとおりの意味を有する）を、６と等しいかまたは６より小さい酸性ｐＨを有する水性媒体中で、塩酸、臭化水素酸およびヨウ化水素酸から選択されるハロゲン化水素酸（ただし、ヨウ化水素酸は、Ｘがエーテルまたはチオ−エーテル結合を含む場合には使用されない）と反応させることによる、請求項１〜６のいずれか１項に記載のホスホナート化合物の製造方法。
【請求項９】
Ｙはヨウジドまたはブロミドであり、クロロ化合物を無機のヨウ化物塩または臭化物塩を含有する水溶液で、１０℃〜１００℃の温度でイオン交換する（ここで、イオン交換媒体は６またはそれより小さいｐＨを有する）ことによる、請求項８に記載のホスホナート化合物の製造方法。
【請求項１０】
請求項１〜６のいずれか１項に記載のホスホナート化合物を中間体として用いる工程を含む、分散剤、水処理剤、スケール防止剤、医薬品、洗剤、二次石油採収剤、肥料および微量栄養素の製造方法。